(57)【特許請求の範囲】
【請求項１】
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する指の爪部上に印刷するように制御する印刷制御手段と、
を備えていることを特徴とするネイルプリント装置。
【請求項２】
複数の爪部の爪画像を含む前記第１の指爪画像を得る第１の画像取得手段と、
複数の爪部の爪画像を含む前記第２の指爪画像を得る第２の画像取得手段と、
前記検出手段により検出された前記指の種類と前記第１及び第２の爪画像とを対応付けてそれぞれ記憶させる記憶制御手段と、
を備えていることを特徴とする請求項１に記載のネイルプリント装置。
【請求項３】
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する前記第２の人物の爪部上に印刷するように制御する印刷制御手段と、
を備えていることを特徴とするネイルプリント装置。
【請求項４】
前記第１の爪画像及び前記第２の爪画像からそれぞれ爪部の第１の輪郭及び第２の輪郭を抽出する爪輪郭抽出手段を備え、
前記調整爪画像生成手段は、前記爪輪郭抽出手段により抽出された前記第１の輪郭と前記第２の輪郭とを比較し、前記第１の輪郭のサイズが前記第２の輪郭のサイズよりも大きい場合は、前記第１の輪郭が前記第２の輪郭内に収まるように前記第１の爪画像全体のサイズを縮小して調整爪画像を生成するものであり、
前記印刷制御手段は、前記調整爪画像生成手段により全体のサイズが縮小された前記調整爪画像を前記第２の爪画像に対応する爪部上に印刷するように制御するものであることを特徴とする請求項１から請求項３のいずれか一項に記載のネイルプリント装置。
【請求項５】
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像と前記第２の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴とするネイルプリント装置。
【請求項６】
複数の爪部の爪画像を含む前記第１の指爪画像指爪画像を得る第１の画像取得手段と、
複数の爪部の爪画像を含む前記第２の指爪画像指爪画像を得る第２の画像取得手段と、
前記検出手段により検出された前記指の種類と前記第１及び第２の爪画像とを対応付けてそれぞれ記憶させる記憶制御手段と、
を備えていることを特徴とする請求項５に記載のネイルプリント装置。
【請求項７】
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像と前記第２の人物の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴とするネイルプリント装置。
【請求項８】
複数の指の第１の指爪画像、及び複数の指の第２の指爪画像から、それぞれ各指の種類と当該各指の種類別の第１及び第２の爪画像とを検出する検出ステップと、
この検出手段において検出された指の種類と前記第１及び第２の爪画像とを対応付けてそれぞれ記憶された前記第１の爪画像を前記第２の爪画像に合わせて調整し、調整爪画像を生成する調整爪画像生成ステップと、
この調整爪画像生成ステップにおいて生成された前記調整爪画像を、前記第２の爪画像に対応する指の爪部上に印刷するように制御する印刷制御ステップと、
を含んでいることを特徴とする印刷制御方法。
【請求項９】
複数の爪部の爪画像を含む第１の指爪画像を得る第１の画像取得ステップと、
複数の爪部の爪画像を含む第２の指爪画像を得る第２の画像取得ステップと、
前記検出手段において検出された前記指の種類と前記第１及び第２の爪画像とを対応付けてそれぞれ記憶させる記憶制御ステップと、
を含んでいることを特徴とする請求項８に記載の印刷制御方法。
【発明の詳細な説明】
【技術分野】
【０００１】
本発明は、ネイルプリント装置および印刷制御方法に関するものである。
【背景技術】
【０００２】
従来、人の指の爪部に文字や絵柄等のデザイン画像を印刷するネイルプリント装置が知られている（例えば、特許文献１参照）。
ネイルプリント装置は、印刷しようとする爪部を撮影手段で撮影して印刷対象となる爪領域を検出し、この検出された爪領域にユーザが選択したデザイン画像をインクジェット方式の印刷ヘッド等を用いて印刷するものである。
【０００３】
このような装置を用いれば、ネイルサロン等を利用することなく、簡易にネイルプリントを楽しむことができる。
また、直接自分の爪部に印刷を行うのではなく、ネイルチップシート上に自分の爪部の形状にあったネイルチップを印刷し、これを切り取ってユーザ自身の爪部上に貼り付けることで手軽にネイルアートを楽しむことも考えられる。
【先行技術文献】
【特許文献】
【０００４】
【特許文献１】特表２００３−５３４０８３号公報
【発明の概要】
【発明が解決しようとする課題】
【０００５】
しかしながら、従来のネイルプリント装置の場合、印刷可能なネイルデザインは予め装置側において設定された範囲で選択できるようになっており、ユーザ自身（以下、「本人」又は「自分」という場合もある。）が自由にデザインを選ぶことは難しかった。
仮に、ユーザが自分で自由にネイルデザインを設定できるようになっていても、希望するデザインをユーザ自身で作り込む等の作業が必要となり、ユーザにとって煩雑である。
【０００６】
ユーザとしては、優れたネイルデザインを爪部に施している有名人や友人等、他人のネイルデザインを自分の爪部に施してみたいという要望があるが、このように他人のネイルデザインを真似したいと思っても、その他人のネイルデザインを設定し、自分の爪部上に再現するためには、複雑なスイッチ操作等を行わなければならず、煩雑な作業なしに気軽に楽しむことは難しいとの問題があった。
【０００７】
本発明は以上のような事情に鑑みてなされたものであり、他人（有名人や友人など）の爪部に施されているネイルデザインを、簡易な手法で、そのままユーザ自身の爪部又はネイルチップシートに印刷することのできるネイルプリント装置及び印刷制御方法を提供することを目的とするものである。
【課題を解決するための手段】
【０００８】
前記課題を解決するために、請求項１に記載のネイルプリント装置は、
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する指の爪部上に印刷するように制御する印刷制御手段と、
を備えていることを特徴としている。
また、請求項２に記載の発明は、請求項１に記載のネイルプリント装置において、
複数の爪部の爪画像を含む前記第１の指爪画像を得る第１の画像取得手段と、
複数の爪部の爪画像を含む前記第２の指爪画像を得る第２の画像取得手段と、
前記検出手段により検出された前記指の種類と前記第１及び第２の爪画像とを対応付けてそれぞれ記憶させる記憶制御手段と、
を備えていることを特徴としている。
【０００９】
また、請求項３に記載のネイルプリント装置は、
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像を、前記第２の爪画像に対応する前記第２の人物の爪部上に印刷するように制御する印刷制御手段と、
を備えていることを特徴としている。
【００１０】
請求項４に記載の発明は、請求項１から請求項３のいずれか一項に記載のネイルプリント装置において、
前記第１の爪画像及び前記第２の爪画像からそれぞれ爪部の第１の輪郭及び第２の輪郭を抽出する爪輪郭抽出手段を備え、
前記調整爪画像生成手段は、前記爪輪郭抽出手段により抽出された前記第１の輪郭と前記第２の輪郭とを比較し、前記第１の輪郭のサイズが前記第２の輪郭のサイズよりも大きい場合は、前記第１の輪郭が前記第２の輪郭内に収まるように前記第１の爪画像全体のサイズを縮小して調整爪画像を生成するものであり、
前記印刷制御手段は、前記調整爪画像生成手段により全体のサイズが縮小された前記調整爪画像を前記第２の爪画像に対応する爪部上に印刷するように制御するものであることを特徴としている。
【００１１】
また、請求項５に記載のネイルプリント装置は、
複数の指の第１の指爪画像、及び複数の指の第２の指爪画像から、それぞれ各指の種類と当該各指の種類別の第１及び第２の爪画像とを検出する検出手段と、
この検出手段により検出された指の種類と前記第１及び第２の爪画像とを対応付けてそれぞれ記憶された前記第１の爪画像を前記第２の爪画像に合わせて調整し、調整爪画像を生成する調整爪画像生成手段と、
この調整爪画像生成手段により生成された前記調整爪画像と前記第２の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴としている。
また、請求項６に記載の発明は、請求項５に記載のネイルプリント装置において、
複数の爪部の爪画像を含む前記第１の指爪画像指爪画像を得る第１の画像取得手段と、
複数の爪部の爪画像を含む前記第２の指爪画像指爪画像を得る第２の画像取得手段と、
前記検出手段により検出された前記指の種類と前記第１及び第２の爪画像とを対応付けてそれぞれ記憶させる記憶制御手段と、
を備えていることを特徴としている。
【００１２】
また、請求項７に記載のネイルプリント装置は、
第１の人物の爪部の第１の爪画像を得る第１の画像取得手段と、
第２の人物の爪部の第２の爪画像を得る第２の画像取得手段と、
前記第１の画像取得手段により得られた前記第１の爪画像、及び前記第２の画像取得手段により得られた前記第２の爪画像を、前記第１の人物及び第２の人物別にそれぞれ記憶させる記憶制御手段と、
この記憶制御手段の制御により記憶された前記第１の爪画像を前記第２の爪画像に合わせて調整し、調整爪画像を生成する調整爪画像生成手段と、
この調整爪画像生成手段により生成された前記調整爪画像と前記第２の人物の爪部の輪郭とを合成して合成爪画像を生成する合成爪画像生成手段と、
この合成爪画像生成手段により生成された合成爪画像を、ネイルチップシート上に印刷するように制御する印刷制御手段と、
を備えていることを特徴としている。
【００１３】
また、請求項８に記載の印刷制御方法は、
複数の指の第１の指爪画像、及び複数の指の第２の指爪画像から、それぞれ各指の種類と当該各指の種類別の第１及び第２の爪画像とを検出する検出ステップと、
この検出手段において検出された指の種類と前記第１及び第２の爪画像とを対応付けてそれぞれ記憶された前記第１の爪画像を前記第２の爪画像に合わせて調整し、調整爪画像を生成する調整爪画像生成ステップと、
この調整爪画像生成ステップにおいて生成された前記調整爪画像を、前記第２の爪画像に対応する指の爪部上に印刷するように制御する印刷制御ステップと、
を含んでいることを特徴としている。
また、請求項９に記載の発明は、請求項８に記載の印刷制御方法において、
複数の爪部の爪画像を含む第１の指爪画像を得る第１の画像取得ステップと、
複数の爪部の爪画像を含む第２の指爪画像を得る第２の画像取得ステップと、
前記検出手段において検出された前記指の種類と前記第１及び第２の爪画像とを対応付けてそれぞれ記憶させる記憶制御ステップと、
を含んでいることを特徴としている。
【発明の効果】
【００１６】
本発明によれば、ユーザの手を煩わせることなく、他人（有名人や友人など）の爪部に施されているネイルデザインを、簡易な手法で、そのままユーザ自身の爪部又はネイルチップシートに印刷することができる。このため、他人の優れたネイルデザインを気軽に真似ておしゃれを楽しむことができるという効果を奏する。
【図面の簡単な説明】
【００１７】
【図１】本発明に係るネイルプリント装置の第１の実施形態を概念的に示した斜視図で、蓋体を開いた状態を示している。
【図２】図１のネイルプリント装置の装置本体を概念的に示した斜視図である。
【図３】図２における装置本体を正面側から見た場合の断面図である。
【図４】図２における装置本体を右側から右側面側から見た場合の断面図である。
【図５】図１のネイルプリント装置を示したブロック図である。
【図６】ＲＡＭのメモリ構成図である。
【図７】（Ａ）は、４本指用の指保持部材の側断面図であり、（Ｂ）は、４本指用の指保持部材の正面図であり、（Ｃ）は、親指用の指保持部材の側断面図であり、（Ｄ）は、親指用の指保持部材の正面図である。
【図８】（Ａ）は、４本指用の指保持部材を裏返した状態の側断面図であり、（Ｂ）は、本実施形態のネイルチップシートの断面図であり、（Ｃ）は、ネイルチップシートに印刷後剥離層を剥離する状態を示す断面図であり、（Ｄ）は、切り離したネイルチップを指の爪上に貼り付けた状態を示す断面図である。
【図９】ネイル印刷処理のフローチャートである。
【図１０】他人の指先撮影処理のフローチャートである。
【図１１】自分の指先撮影処理のフローチャートである。
【図１２】自分の指先撮影処理のフローチャートである。
【図１３】爪部印刷処理のフローチャートである。
【図１４】シート印刷処理のフローチャートである。
【図１５】シート印刷処理のフローチャートである。
【図１６】操作部と表示部のモード選択画面との一例を示す図である。
【図１７】表示部の指挿入指示画面の一例を示す図である。
【図１８】表示部の保持部材挿入指示画面の一例を示す図である。
【図１９】図１のネイルプリント装置の印刷指固定部とその第１の指挿入部に挿入される４本指用の指保持部材とを示した側断面図である。
【図２０】図１のネイルプリント装置の印刷指固定部の第１の指挿入部に４本指用の指保持部材が挿入された状態を示した側断面図である。
【図２１】図１のネイルプリント装置の印刷指固定部の第１の指挿入部に親指用の指保持部材が挿入された状態を示した側断面図である。
【図２２】表示部の保持部材取出指示画面の一例を示す図である。
【図２３】表示部の保持部材挿入継続指示画面の一例を示す図である。
【図２４】他人の爪部の爪画像を含む指爪画像の一例を示した図である。
【図２５】ユーザ自身の爪部の爪画像を含む指爪画像の一例を示した図である。
【図２６】（Ａ）は、他人の爪部の輪郭と自分の爪部の輪郭とを比較する様子を示す説明図であり、（Ｂ）は、他人の爪部の爪画像を自分の爪部の輪郭に合わせて縮小する例を示す説明図であり、（Ｃ）は、調整爪画像の一例を示す図であり、（Ｄ）は、合成爪画像の一例を示す図である。
【図２７】ユーザ自身の爪部に５本分の合成爪画像が印刷された状態を示した図である。
【図２８】表示部のシート載置指示画面の一例を示す図である。
【図２９】表示部の保持部材再挿入指示画面の一例を示す図である。
【図３０】図１のネイルプリント装置の指保持部材を裏返した状態を示した斜視図である。
【図３１】図１のネイルプリント装置の印刷指固定部の第１の指挿入部にネイルチップシートが載置された４本指用の指保持部材が挿入された状態を示した側断面図である。
【図３２】５本分の合成爪画像が印刷されたネイルチップシートを示した図である。
【図３３】図３２のネイルチップシートから切り離された５つの爪用のネイルチップを示した図である。
【図３４】本発明に係るネイルプリント装置の第２の実施形態を概念的に示した斜視図で、蓋体を開いた状態を示している。
【図３５】第１の爪画像選択処理のフローチャートである。
【図３６】第２の爪部の爪画像取得処理のフローチャートである。
【図３７】爪部印刷処理のフローチャートである。
【図３８】表示部のデザイン選択画面の一例を示す図である。
【図３９】（Ａ）は、ユーザ自身の指爪画像の一例を示す図であり、（Ｂ）は、（Ａ）の指爪画像から抽出された爪画像及び輪郭を示す図であり、（Ｃ）は、第１の爪画像の輪郭とユーザ自身の爪部の輪郭とを重ね合わせる様子を示す説明図であり、（Ｄ）は、第１の爪画像をユーザ自身の爪部の輪郭に合わせて縮小した調整爪画像の一例を示す図であり、（Ｅ）は、（Ｄ）に示すデザインをユーザ自身の爪部上に印刷した例を示す図である。
【図４０】図１のネイルプリント装置の一変形例を概念的に示した斜視図である。
【発明を実施するための形態】
【００１８】
［第１の実施の形態］
先ず、図１から図３３を参照しつつ、本発明に係るネイルプリント装置の第１の実施形態について説明する。
図１は、本実施形態におけるネイルプリント装置の外観を示す斜視図であり、図２は、ネイルプリント装置の内部構成を示す斜視図である。
本実施形態においてネイルプリント装置１はユーザの爪部にネイルデザインを印刷可能であるとともに、指の爪部に貼り付けられるネイルチップ７０（図３３等参照）を生成可能な装置であって、図１に示すように、ネイルプリント装置１は、ケース本体２、蓋体４の他、印刷対象となる爪部に対応する指（対象指Ｕ）が挿入される指挿入部である第１の指挿入部２０ａ等を備えるプリント装置本体１０、この第１の指挿入部２０ａに挿脱可能に構成された指保持部材６等を備えている。
【００１９】
ケース本体２及び蓋体４は、ケース本体２の上面後端部に設けたヒンジ３を介して、互いに連結されている。
上記ケース本体２は平面視で長円状に形成されている。このケース本体２の前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。このケース本体２の前面が開放された状態で、ネイルプリント装置１は使用される。また、ケース本体２の天板２ｆには後述する操作部２５が設置されている。さらに、蓋体４の内面には表示部２６が設置されている。
【００２０】
また、図２に示すように、ケース本体２にはネイルプリント装置１のプリント装置本体１０が収容されている。このプリント装置本体１０は、印刷指固定手段を構成している印刷指固定部２０、撮影手段を構成している撮影部３０、印刷手段を構成している印刷部４０、制御手段を構成している制御装置５０（図５参照）、操作部２５及び表示部２６を備えている。これらのうち印刷指固定部２０、撮影部３０、印刷部４０及び制御装置５０は機枠１１に設けられている。
なお、機枠１１は下部機枠１１ａ及び上部機枠１１ｂから構成されている。そして、下部機枠１１ａは箱状に形成され、ケース本体２の内部下方に設置されている。一方、上部機枠１１ｂは下部機枠１１ａの上方で且つケース本体２の内部上方に設置されている。
【００２１】
上記印刷指固定部２０は、機枠１１の中の下部機枠１１ａに設けられている。この印刷指固定部２０は、下部機枠１１ａに設けられた第１の指挿入部２０ａ、第２の指挿入部２０ｂ及び掴み部２０ｃによって構成されている。
【００２２】
本実施形態において、第１の指挿入部２０ａは、ユーザ（すなわち、第２の人物）の印刷対象となる爪部Ｔに対応する指（以下「対象指Ｕ」とする。図１９等参照）を挿入するための指挿入部であるとともに、ユーザが自分の爪部に施したいネイルデザインを施している他人（すなわち、第１の人物．本実施形態では「他人ａ」（図６参照）を例とする。）の爪部Ｔに対応する指（以下「対象指Ｕ」とする。図１９等参照）を挿入するための指挿入部である。
本実施形態では、対象指Ｕが後述する指保持部材６に保持された状態で第１の指挿入部２０ａ内に挿入されるようになっている。なお、以下では、爪部Ｔのうち、親指の爪部をＴ１、人差し指の爪部をＴ２、中指の爪部をＴ３、薬指の爪部をＴ４、小指の爪部をＴ５とする（図２５等参照）が、単に「爪部Ｔ」としたときは、これらの爪部Ｔを総称するものとする。また、対象指Ｕのうち、親指をＵ１、人差し指をＵ２、中指をＵ３、薬指をＵ４、小指をＵ５とする（図２５等参照）が、単に「対象指Ｕ」としたときは、ユーザ自身の「対象指Ｕ」と他人の「対象指Ｕ」とを含み、親指Ｕ１〜小指Ｕ５までの全ての対象指Ｕを総称するものとする。
【００２３】
また、第２の指挿入部２０ｂは、対象指Ｕ以外の非対象指Ｎを挿入するための指挿入部である。
また、掴み部２０ｃは、第１の指挿入部２０ａに挿入された対象指Ｕと、第２の指挿入部２０ｂに挿入された非対象指Ｎとで挟持可能な部分である（図１９から図２１参照）。この掴み部２０ｃは第１の指挿入部２０ａと第２の指挿入部２０ｂとを仕切る隔壁２１によって構成されている。
なお、上記第２の指挿入部２０ｂ及び上記掴み部２０ｃを設けなくてもよいが、これらを設けることにより、第１の指挿入部２０ａ内に挿入された指保持部材６及びこれに保持されている対象指Ｕをより安定させることができ、対象指Ｕを固定するために極めて有効である。
【００２４】
上記隔壁２１の上面は平坦な指保持部材載置面を構成している。この指保持部材載置面は第１の指挿入部２０ａに挿入された指保持部材６を載置するためのものである。なお、この指保持部材載置面は、上記第２の指挿入部２０ｂ及び上記掴み部２０ｃを設けない場合には、上記第１の指挿入部２０ａの床面によって構成されることになる。
この隔壁２１の指保持部材挿入側端部には膨出部２２が形成されている（図１９から図２１参照）。この膨出部２２は、第１の指挿入部２０ａに指保持部材６を深く挿入し、第２の指挿入部２０ｂに非対象指Ｎを深く挿入した際に、対象指Ｕ及び非対象指Ｎの付け根が当接する部分に形成されている。この膨出部２２は、対象指Ｕと非対象指Ｎとで隔壁２１（掴み部２０ｃ）を挟持する際に、対象指Ｕと非対象指Ｎとの付け根で包持されるものである。ここで「包持」とは、対象指Ｕと非対象指Ｎとの付け根が当接し、膨出部２２を掴めることである。この膨出部２２の包持によって、手首の左右の振れや上下の振れが抑制されて、手先を安定させることができる。
この膨出部２２は、図１９から図２１に示すように、指保持部材６の挿入方向に沿った断面で見た場合（側面視で）、隔壁２１の下面から下方に向けて膨出するように円形となっている。なお、膨出部２２の形状は、断面円形に限定されることなく、断面楕円形，断面多角形等の非円形であってもよい。要は、対象指Ｕと非対象指Ｎとの付け根で包持される形状であればよい。
なお、膨出部２２の大きさ、すなわち、隔壁２１の厚み方向の厚みは、対象指Ｕと非対象指Ｎとの付け根が膨出部２２に十分に当接するように、１〜２ｃｍ程度が好ましく、隔壁２１の厚みは、指先の腹が隔壁２１にしっかりと圧接できるように、膨出部２２の厚みよりも０．５〜１ｃｍ程度小さいことが好ましい。
【００２５】
次に、撮影部３０について説明する。この撮影部３０は、図２から図４に示すように、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。
この撮影部３０は、このカメラ３２及び照明灯３３を含んで構成されている。
本実施形態において、撮影部３０は、照明灯３３によって他人ａ（すなわち、第１の人物）の対象指Ｕを照明し、カメラ３２によってその対象指Ｕを撮影して、他人ａ（第１の人物）の複数の爪部Ｔの爪画像Ｇａ１〜Ｇａ５（図６参照）を含む指爪画像を得る第１の画像取得手段として機能する。
また、この撮影部３０は、照明灯３３によってユーザ自身（すなわち、第２の人物）の対象指Ｕを照明し、カメラ３２によってその対象指Ｕを撮影して、ユーザ自身（第２の人物）の複数の爪部Ｔの爪画像Ｇ１〜Ｇ５（図６参照）を含む指爪画像を得る第２の画像取得手段として機能する。
この撮影部３０は、後述する制御装置５０の制御部５１に接続され、該制御部５１によって制御されるようになっている。また、撮影部３０により取得された他人ａ（第１の人物）の爪画像Ｇａ１〜Ｇａ５及びユーザ自身（第２の人物）の爪画像Ｇ１〜Ｇ５は、それぞれ指種類別にＲＡＭ５３等の記憶手段に記憶される（図６参照）。
【００２６】
また、印刷部４０は、撮影部３０によって撮影された他人（第１の人物）の爪画像Ｇａ１〜Ｇａ５をユーザ自身（第２の人物）の対応する対象指Ｕの爪画像Ｇ１〜Ｇ５に合わせて変形調整する等により生成された印刷用のデータに基づいて、ユーザの対象指Ｕの爪部Ｔ又はネイルチップ７０を生成するためのネイルチップシート７（図８（Ｂ）等参照）に対して印刷を施す印刷手段であり、図２から図４に示すように、機枠１１（主に上部機枠１１ｂ）に設けられている。
すなわち、上部機枠１１ｂの両側板には２本のガイドロッド４１が平行に架設されている。このガイドロッド４１には、主キャリッジ４２が摺動自在に設置されている。また、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部に印刷ヘッド４６が搭載されている。
本実施形態において、この印刷ヘッド４６は、インクを微滴化し、被印字媒体に対し直接に吹き付けて印刷を行うインクジェット方式の印刷ヘッドである。なお、印刷ヘッド４６の記録方式はインクジェット方式に限定されず、感熱印刷方式などの他の各種の印刷方式が採用可能である。
【００２７】
主キャリッジ４２は動力伝達手段（図示せず）を介してモータ４３に連結され、モータ４３の正逆回転によって、ガイドロッド４１に沿って左右方向に移動ように構成されている。また、副キャリッジ４５は動力伝達手段（図示せず）を介してモータ４７に連結され、モータ４７の正逆回転によって、ガイドロッド４４に沿って前後方向に移動するように構成されている。この主キャリッジ４２及び副キャリッジ４５の移動と、印刷ヘッド４６からのインクの吐出とによって、指保持部材６に保持された対象指Ｕの爪部、又は指保持部材６のシート配置部６５（図８（Ａ）等参照）に載置されたネイルチップシート７への印刷が可能となる。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２８】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の制御部５１に接続され、該制御部５１によって制御されるようになっている。
【００２９】
操作部２５は、ユーザが各種入力操作を行うための入力手段である。操作部２５は、ケース本体２の天板２ｆに設けられており、本実施形態における操作部２５には、電源キー２５ａ、カメラキー２５ｂ、印刷キー２５ｃ、停止キー２５ｄ、文字入力キー２５ｅ、選択キー２５ｆ、カーソルキー２５ｇ及び決定キー２５ｈ等が設けられている。
ここで、文字入力キー２５ｅ、選択キー２５ｆ、カーソルキー２５ｇは、各種動作モードの選択等に使用されるキーである。本実施形態では、図１６に示すように、他人の指先撮影モード、自分（すなわちユーザ自身）の指先撮影モード、印刷モードの３つの動作モードが選択可能となっている。また、決定キー２５ｈは、文字入力キー２５ｅ、選択キー２５ｆ、カーソルキー２５ｇによって選択された動作モードの確定等を行うためのキーである。電源キー２５ａは、ネイルプリント装置１の電源をＯＮ／ＯＦＦするためのキーである。カメラキー２５ｂは、撮影部３０による撮影を開始させるためのトリガとなるキーである。また、印刷キー２５ｃは、印刷処理の開始のためのトリガとなるキーである。また、停止キー２５ｄは、印刷処理を停止させる際に使用されるキーである。
【００３０】
表示部２６は、例えば液晶パネル（液晶ディスプレイ（ＬＣＤ：Liquid Crystal Display））等で構成され、印刷処理を行う際等に各種表示を行う表示手段である。なお、表示部２６は液晶パネルで構成されるものに限定されない。
なお、表示部２６の表面に、タッチパネルが一体的に構成されていてもよい。この場合には、図示しないスタイラスペンや指先等により表示部２６の表面をタッチすることによっても各種の入力を行うことができるように構成され、表示部２６も操作部２５と同様の機能を備える。
【００３１】
本実施形態において、表示部２６は、例えば、ユーザに動作モードの選択を促すモード選択画面（図１６参照）、ネイルデザインをユーザの手指に重畳したデザイン合成画像を表示してユーザに確認を求めるデザイン確認画面等の他、各種の指示画面（図１７、図１８、図２２、図２３、図２８、図２９）等を表示するようになっている。
なお、図１６に示すように、本実施形態におけるモード選択画面には、他人の指先撮影モードを選択するための他人の指先撮影モードキーＰ１、自分（すなわちユーザ自身）の指先撮影モードを選択するための自分の指先撮影モードキーＰ２、印刷モードを選択するための印刷モードキーＰ３が表示されるようになっており、ユーザは、この他人の指先撮影モードキーＰ１、自分の指先撮影モードキーＰ２、印刷モードキーＰ３のいずれかを選択することにより、所望の動作モードを選択可能となっている。
なお、図示はしないが、印刷モードが選択されたときは、さらにユーザの爪部Ｔに直接印刷を施す爪印刷モードとネイルチップシート７の上に印刷を施すシート印刷モードとが選択可能となっている。また、後述する記憶手段に複数人分の他人（図６において、他人ａ〜他人ｄの４人分を例示）の爪画像が記憶されている場合には、そのうちのいずれの他人の爪画像のネイルデザインを自分の爪部Ｔ又はネイルチップシート７上に印刷するかを、表示部２６の表示画面上又は操作部２５において選択することができる。
【００３２】
また、制御装置５０は上部機枠１１ｂに設けられている。この制御装置５０は、基板３１に設置されており、図５に示すように、図示しないＣＰＵ（Central Processing Unit）等によって構成されている制御部５１、記憶手段としてのＲＯＭ（Read Only Memory）５２及びＲＡＭ５３（Random Access Memory）等を備えるコンピュータである。なお、記憶手段は、制御装置５０内のＲＯＭ５２、ＲＡＭ５３に限定されず、他に記憶手段が設けられていてもよい。
【００３３】
この制御部５１は、機能的に見た場合、指種類検出部５１１、爪輪郭抽出部５１２、調整爪画像生成部５１３、合成爪画像生成部５１４、印刷制御部５１５、表示制御部５１６等を備えている。これら指種類検出部５１１、爪輪郭抽出部５１２、調整爪画像生成部５１３、合成爪画像生成部５１４、印刷制御部５１５、表示制御部５１６等としての機能は、ＣＰＵとＲＯＭ５２に記憶されたプログラムとの共働によって実現される。
【００３４】
指種類検出部５１１は、撮影部３０により撮影された他人ａ（第１の人物）の複数の対象指Ｕの指爪画像、及び同様に撮影部３０により撮影されたユーザ自身（第２の人物）の複数の対象指Ｕの指爪画像から、それぞれ各指の種類を検出する指種類検出手段である。
指種類検出部５１１は、例えば指爪画像の配置、長さ寸法や幅寸法等に基づいて各指爪画像の指種類を検出するようになっている。なお、指種類の検出手法はここに例示したものに限定されない。
指種類検出部５１１は、指爪画像に基づいて検出された指の種類と撮影部３０により得られた爪部Ｔの爪画像Ｇａ１〜Ｇａ５、Ｇ１〜Ｇ５とを対応付けて、他人ａ（第１の人物）及びユーザ自身（第２の人物）について別々にそれぞれＲＡＭ５３等の記憶手段に記憶させる記憶制御手段として機能する。
【００３５】
爪輪郭抽出部５１２は、撮影部３０により撮影された他人ａ（第１の人物）の爪部Ｔの爪画像Ｇａ１〜Ｇａ５及びユーザ自身（第２の人物）の爪部Ｔの爪画像Ｇ１〜Ｇ５からそれぞれ爪部Ｔの輪郭Ｒａ１〜Ｒａ５、Ｒ１〜Ｒ５を抽出する爪輪郭抽出手段である。爪輪郭抽出部５１２によって抽出された爪部Ｔの輪郭Ｒａ１〜Ｒａ５、Ｒ１〜Ｒ５は、それぞれ爪画像Ｇａ１〜Ｇａ５、Ｇ１〜Ｇ５と対応付けられてＲＡＭ５３等の記憶手段に記憶される（図６参照）。なお、爪輪郭抽出部５１２は本発明の必須の構成要素ではなく、爪輪郭抽出部５１２を設けず、爪部Ｔの輪郭Ｒを抽出せずに処理を行う構成としてもよい。
【００３６】
調整爪画像生成部５１３は、ＲＡＭ５３等の記憶手段に記憶された他人ａ（第１の人物）の爪画像Ｇａ１〜Ｇａ５をユーザ自身（第２の人物）の対応する対象指Ｕの爪画像Ｇ１〜Ｇ５に合わせて調整して調整爪画像Ｉａ１〜Ｉａ５（図６参照）を生成する調整爪画像生成手段である。
調整爪画像生成部５１３によって生成された調整爪画像Ｉａ１〜Ｉａ５は、人別（他人（第１の人物）かユーザ自身（第２の人物）かの別）及び指種類別にそれぞれ対応付けられてＲＡＭ５３等の記憶手段に記憶される（図６参照）。
【００３７】
例えば、他人ａの爪部Ｔ１〜Ｔ５が図２４に示すような大きさ・形状であり、ユーザ自身の爪部Ｔ１〜Ｔ５が図２５に示すような大きさ・形状である場合、図２６（Ａ）〜（Ｃ）に示すような手順により、他人ａの爪画像Ｇａ１〜Ｇａ５をユーザの爪画像Ｇ１〜Ｇ５に合わせ込む。これにより、他人ａの爪画像Ｇａ１〜Ｇａ５をユーザの爪部Ｔ１〜Ｔ５に印刷したときに、図２７に示すように、ユーザの爪部Ｔ１〜Ｔ５の大きさ・形状に合致させることができる。
【００３８】
ここで、図２６（Ａ）〜（Ｃ）を参照しつつ、調整爪画像生成部５１３による調整爪画像Ｉａ１〜Ｉａ５の生成処理について詳細に説明する。
本実施形態では、まず、図２６（Ａ）に示すように、調整爪画像生成部５１３は、爪輪郭抽出部により抽出された他人ａ（第１の人物）の爪部Ｔの輪郭Ｒａ１〜Ｒａ５（図２６（Ａ）等では他人ａの人差し指についての輪郭Ｒａ２を示す。）と本人であるユーザ自身（第２の人物）の爪部Ｔの輪郭Ｒ１〜Ｒ５（図２６（Ａ）等ではユーザの人差し指についての輪郭Ｒ２を示す。）とを比較し、他人ａ（第１の人物）の爪部Ｔの輪郭Ｒａ１〜Ｒａ５のサイズがユーザ自身（第２の人物）の爪部Ｔの輪郭Ｒ１〜Ｒ５のサイズよりも大きい場合は、他人ａ（第１の人物）の爪部Ｔの輪郭Ｒａ１〜Ｒａ５がユーザ自身（第２の人物）の爪部Ｔの輪郭Ｒ１〜Ｒ５内に収まるように他人ａ（第１の人物）の爪画像Ｇａ１〜Ｇａ５全体のサイズを縮小する（図２６（Ｂ）参照。なお、図２６（Ｂ）等では他人ａの人差し指についての爪画像Ｇａ２について示す。）。
なお、ここでは他人ａ（第１の人物）の爪部Ｔの輪郭Ｒａ１〜Ｒａ５のサイズがユーザ自身（第２の人物）の爪部Ｔの輪郭Ｒ１〜Ｒ５のサイズよりも大きい場合に他人ａ（第１の人物）の爪画像全体のサイズを縮小する例について説明したが、他人ａ（第１の人物）の爪部Ｔの輪郭Ｒａ１〜Ｒａ５のサイズがユーザ自身（第２の人物）の爪部Ｔの輪郭Ｒ１〜Ｒ５のサイズよりも小さい場合に他人ａ（第１の人物）の爪画像Ｇａ１〜Ｇａ５全体のサイズを拡大してバランスよく印刷できるように調整してもよい。
また、調整爪画像生成部５１３による調整は、爪画像Ｇａ１〜Ｇａ５全体のサイズの縮小・拡大のみでなく、例えば縦長の爪画像Ｇａ１〜Ｇａ５を横長に変形する等、爪画像Ｇａ１〜Ｇａ５の形状を変形調整するものであってもよい。また、ネイルチップシート７に印刷する場合には、爪画像Ｇａ１〜Ｇａ５の幅方向のみユーザ自身（第２の人物）の爪部Ｔの輪郭Ｒ１〜Ｒ５に合わせて調整し、爪画像Ｇａ１〜Ｇａ５の縦方向については、他人ａ（第１の人物）の爪部Ｔの輪郭Ｒａ１〜Ｒａ５をネイルチップシート７に印刷する輪郭Ｒとして採用してもよい。
【００３９】
さらに、他人ａの爪画像をユーザの爪部Ｔに印刷する場合には、調整爪画像生成部５１３は、他人ａの爪部Ｔの輪郭Ｒａ１〜Ｒａ５の位置が自分の爪部Ｔの輪郭Ｒ１〜Ｒ５の範囲内にない場合には、輪郭Ｒ１〜Ｒ５の範囲内に収まるように輪郭Ｒａ１〜Ｒａ５の印刷位置の座標を移動させる。図２６の場合には、他人ａの爪部Ｔの輪郭Ｒａ１〜Ｒａ５の位置が自分の爪部Ｔの輪郭Ｒ１〜Ｒ５よりも上方にずれているため（図２６（Ａ）及び（Ｂ）参照）、輪郭Ｒａ１〜Ｒａ５の印刷位置の座標を下方に移動させることにより、輪郭Ｒａ１〜Ｒａ５の位置を輪郭Ｒ１〜Ｒ５の範囲内に収めることができる（図２６（Ｃ）参照）。
このようにして、他人ａの爪部Ｔの輪郭Ｒａ１〜Ｒａ５の大きさ、形状、位置を適宜調整することにより、図２６（Ｃ）に示すような調整爪画像Ｉａ１〜Ｉａ５（図２６（Ｃ）では他人ａの人差し指についての調整爪画像Ｉａ２を示す。）が生成される。
【００４０】
また、合成爪画像生成部５１４は、調整爪画像生成部５１３により調整された他人ａ（第１の人物）の調整後の爪画像（すなわち、調整爪画像Ｉａ１〜Ｉａ５）とユーザ自身（第２の人物）の爪部Ｔの輪郭Ｒ１〜Ｒ５とを合成して、図２６（Ｄ）に示すような合成爪画像Ｉａ１＋Ｒ１〜Ｉａ５＋Ｒ５（図２６（Ｄ）では他人ａの人差し指についての調整爪画像Ｉａ５＋Ｒ５を示す。）を生成する合成爪画像生成手段である。なお、印刷モードにおいて、ユーザの爪部Ｔに印刷を施す爪印刷モードが選択された場合（すなわち、ネイルチップシート７に印刷を施すシート印刷モードが選択されなかった場合）には、合成爪画像生成部５１４における合成爪画像の生成を行わないようにしてもよい。
合成爪画像生成部５１４によって生成された合成爪画像Ｉａ１＋Ｒ１〜Ｉａ５＋Ｒ１は、人別（他人ａ（第１の人物）かユーザ自身（第２の人物）かの別）及び指種類別にそれぞれ対応付けられてＲＡＭ５３等の記憶手段に記憶される（図６参照）。
【００４１】
印刷制御部５１５は、ユーザ自身（第２の人物）の爪部Ｔ又はネイルチップシート７上に印刷するように印刷部４０の印刷動作を制御する印刷制御手段である。
具体的には、印刷モードにおいて、ユーザ自身（第２の人物）の爪部Ｔに印刷を施す爪印刷モードが選択された場合には、印刷制御部５１５は、調整爪画像生成部５１３によって生成された各指ごとの調整爪画像Ｉａ１〜Ｉａ５に基づいて、それぞれユーザ自身（第２の人物）の対応する各対象指Ｕの爪部Ｔに印刷するデザイン及び印刷位置等からなる印刷用のデータを生成し、これを印刷部４０に出力して印刷部４０の印刷動作を制御する。
また、印刷モードにおいて、ネイルチップシート７に印刷を施すシート印刷モードが選択された場合には、印刷制御部５１５は、合成爪画像生成部５１４において生成された合成爪画像Ｉａ１＋Ｒ１〜Ｉａ５＋Ｒ１を、ネイルチップシート７上に印刷されたときに各指の合成爪画像が互いにある程度の間隔を空けて配置されるように印刷用のデータを生成し、これを印刷部４０に出力して印刷部４０の印刷動作を制御する。
本実施形態では、ネイルチップシート７に印刷を施す場合に、印刷制御部５１５は、片手の親指から小指までの５本の指について１枚のネイルチップシート７上に印刷できるように各指の合成爪画像の配置を調整し、印刷用のデータを生成するようになっている（図２５参照）。
なお、１枚のネイルチップシート７上に何本の指の合成爪画像を配置するかは、予め設定されていてもよいし、使用状況に応じてユーザが任意に設定できるようにしてもよい。例えば、親指を除く４本の指の合成爪画像のみが１枚のネイルチップシート７上に配置されるように印刷用のデータを生成してもよいし、両手の１０本の指全てについて合成爪画像を生成した後に、当該１０本分の合成爪画像が１枚のネイルチップシート７上に配置されるように印刷用のデータを生成してもよい。
【００４２】
表示制御部５１６は、表示手段としての表示部２６に各種の表示を表示させる表示制御手段である。本実施形態では、表示制御部５１６は、前述のようにモード選択画面、デザイン確認画面、各種の指示画面等を表示部２６に表示させるようになっている。
【００４３】
また、記憶手段としてのＲＯＭ５２は、指爪画像から各指の種類を検出するための指種類検出プログラム、爪部の輪郭を抽出するための爪輪郭抽出プログラム、他人（第１の人物）の爪画像をユーザ自身（第２の人物）の対応する爪部の爪画像に合わせて変形調整して調整爪画像を生成するための調整爪画像生成プログラム、調整爪画像とユーザ自身（第２の人物）の爪部の輪郭とを合成して合成爪画像を生成するための合成爪画像生成プログラム、印刷用のデータを生成するための印刷用データ生成プログラム、印刷処理を行うための印刷処理プログラム等の各種プログラムが格納されており、これらのプログラムが制御装置５０によって実行されることによって、ネイルプリント装置１の各部が統括制御されるようになっている。
【００４４】
また、本実施形態において記憶手段であるＲＡＭ５３は各種データ等を記憶する記憶領域５３１と制御部５１が各種処理を行う際にプログラム等を展開する作業領域（図示せず）とを備えている。ＲＡＭ５３の記憶領域５３１には、例えば、撮影部３０により取得された他人ａ（第１の人物）の爪画像Ｇａ１〜Ｇａ５及びユーザ自身（第２の人物）の爪画像Ｇ１〜Ｇ５が複数の指について指種類検出部５１１が検出した指の種類のデータと対応付けられて記憶されている。また、ＲＡＭ５３には、爪輪郭抽出部５１２により各爪画像Ｇａ１〜Ｇａ５、Ｇ１〜Ｇ５から抽出された爪部Ｔの輪郭Ｒａ１〜Ｒａ５、Ｒ１〜Ｒ５のデータが、それぞれ対応する爪画像Ｇａ１〜Ｇａ５、Ｇ１〜Ｇ５と対応付けられて記憶されている。また、調整爪画像生成部５１３により他人ａ（第１の人物）の各対象指Ｕについて調整爪画像Ｉａ１〜Ｉａ５が生成されると、この調整爪画像Ｉａ１〜Ｉａ５のデータが、当該他人ａの指種類別に対応付けられて記憶される。さらに、合成爪画像生成部５１４により各指ごとの合成爪画像Ｉａ１＋Ｒ１〜Ｉａ５＋Ｒ１が生成されると、この合成爪画像Ｉａ１＋Ｒ１〜Ｉａ５＋Ｒ１のデータが、当該他人の指種類別に対応付けられて記憶される。
【００４５】
図６は、ＲＡＭ５３の記憶領域５３１の一例を模式的に示した図である。
図６では、他人ａ〜他人ｄの４人分のデータが既に取得されている他人（第１の人物）のデータとしてそれぞれ第１欄５３１ａ、第２欄５３１ｂ、第３欄５３１ｃ、第４欄５３１ｄに記憶されている例を示している。なお、ＲＡＭ５３に記憶される他人（第１の人物）のデータは４人分に限定されない。また、ＲＡＭ５３に記憶可能なデータ数は特に限定されないが、過去に履歴として記憶された他人（第１の人物）のデータが一定の人数分に達すると、古いデータから消去されるようになっていてもよい。
【００４６】
例えば、図７中の第１欄５３１ａの他人ａに関するデータについて以下説明を行う。
第１欄５３１ａの「他人の指先」の「爪画像」の項には、他人ａの指の爪画像が、指の種類別に親指Ｇａ１、人差し指Ｇａ２、中指Ｇａ３、薬指Ｇａ４、小指Ｇａ５として記憶されている。なお、本実施形態では、親指を１、人差し指を２、中指を３、薬指を４、小指を５とする指番号が各指に付されている。
また、「他人の指先」の「輪郭」の項には、これら各指の爪画像Ｇａ１〜Ｇａ５から抽出された輪郭が、指の種類別に親指Ｒａ１、人差し指Ｒａ２、中指Ｒａ３、薬指Ｒａ４、小指Ｒａ５として記憶されている。
また、「自分の指先」の「爪画像」の項には、他人ａの各指種類に対応するユーザ自身の指の爪画像が、指の種類別に親指Ｇ１、人差し指Ｇ２、中指Ｇ３、薬指Ｇ４、小指Ｇ５として記憶されている。
また、「自分の指先」の「輪郭」の項には、これら各指の爪画像Ｇ１〜Ｇ５から抽出された輪郭が、指の種類別に親指Ｒ１、人差し指Ｒ２、中指Ｒ３、薬指Ｒ４、小指Ｒ５として記憶されている。
さらに、「調整爪画像」の項には、他人ａの各指の爪画像Ｇａ１〜Ｇａ５をユーザ自身の爪画像Ｇ１〜Ｇ５に合わせて調整した調整爪画像が、指の種類別に親指Ｉａ１、人差し指Ｉａ２、中指Ｉａ３、薬指Ｉａ４、小指Ｉａ５として記憶されている。調整爪画像Ｉａ１〜Ｉａ５は、前述のように、他人ａの各指の爪画像Ｇａ１〜Ｇａ５の大きさ、形状、印刷位置をユーザ自身の爪画像Ｇ１〜Ｇ５に合わせて調整したものである。
また、合成爪画像生成部５１４において合成爪画像が生成されたときは、合成後の画像データが「合成爪画像」の項に記憶される。ここで、合成爪画像は、図６の「合成爪画像」の項に示すように、他人ａ（第１の人物）の各指ごとの調整爪画像Ｉａ１〜Ｉａ５と当該調整爪画像Ｉａ１〜Ｉａ５に対応するユーザの指の爪部Ｔの輪郭Ｒ１〜Ｒ５とを合成したものである。
【００４７】
なお、ＲＯＭ５３の記憶領域５３１に既存のデザインデータが記憶されていてもよく、この場合には、ユーザは、撮影部３０によって取得された他人（第１の人物）の爪画像のみでなく、ＲＯＭ５３に記憶された既存のデザインの中からも自分の爪部に印刷するデザインを選択できるようにしてもよい。ユーザがＲＯＭ５３の記憶領域５３１に記憶されている既存のデザインデータの中から所望のデザインを選択した場合には、そのデザインデータがＲＡＭ５３の記憶領域５３１に記憶される。
【００４８】
次に、本実施形態における指保持部材６について、図１及び図７を参照しつつ説明する。
図１に示すように、本実施形態において、第１の指挿入部２０ａ内には、人差し指から小指までの４本の指を対象指Ｕ（Ｕ２〜Ｕ５）として保持する４本指用の指保持部材６ａと、対象指Ｕとして親指（Ｕ１）を保持する親指用の指保持部材６ｂとが選択的に挿入可能となっている。なお、以下において、単に指保持部材６とするときは、４本指用の指保持部材６ａ及び親指用の指保持部材６ｂの双方を含むものとする。
図７（Ａ）は、４本指用の指保持部材６ａの側断面図であり、図７（Ｂ）は、４本指用の指保持部材６ａを指の挿入方向から見た正面図である。また、図７（Ｃ）は、親指用の指保持部材６ｂの側断面図であり、図７（Ｄ）は、親指用の指保持部材６ｂを指の挿入方向から見た正面図である。
【００４９】
図１、図７（Ａ）及び図７（Ｂ）に示すように、４本指用の指保持部材６ａは４本指を保持可能な保持部材本体６０を備えており、この保持部材本体６０には、４本指用の指保持部材６ａの指挿入側正面に開口する指保持部としての４つの指挿入孔６１が設けられている。指挿入孔６１の内部上面は、指挿入方向のほぼ中央部から開口側に向かって上方向に傾斜している。なお、指挿入孔６１の形状や構造は図示例に限定されないが、指は指先から付け根にいくにしたがって厚みが大きくなるため、図示例のように指挿入孔６１の内部上面に傾斜をつけた場合には対象指Ｕをスムーズに指挿入孔６１の奥まで挿入することができ、好ましい。なお、指挿入孔６１の内部上面に傾斜をつける代わりに、指挿入孔６１の内部上面に指挿入方向の奥側よりも開口側の方が上下方向の厚みが厚くなるように段差を設けてもよい。
各指挿入孔６１の間は指仕切部６２となっており、各指挿入孔６１に４本の対象指Ｕ（人差し指Ｕ２から小指Ｕ５）が挿入されたときに、各対象指Ｕの間に適度に隙間が開くようになっている。指仕切部６２の厚みは特に限定されないが、対象指Ｕ同士が接近し過ぎていると各対象指Ｕの爪部の輪郭の認識がしにくくなることから、本実施形態のように、指仕切部６２によって各対象指Ｕの間に適度の間隔が保たれるようにすることが好ましい。
【００５０】
４本指用の指保持部材６ａの表面（対象指Ｕが挿入される際に上側（図７（Ａ）及び図７（Ｂ）における上側）となる面）側であって指挿入方向の奥側には、各指挿入孔６１に対応する位置に、各指挿入孔６１に挿入された各対象指Ｕ（人差し指から小指）の爪部を露出させる爪部露出孔６３が形成されている。指保持部材６ａの奥まで対象指Ｕ（人差し指から小指）を挿入すると、各指の爪部が各指挿入孔６１の爪部露出孔６３から露出して、撮影部３０による爪部の撮影及び印刷部４０による爪部への印刷が可能な状態となる。
また、４本指用の指保持部材６ａの裏面（対象指Ｕが挿入される際に下側（図７（Ａ）及び図７（Ｂ）における下側）となる面）側であって指挿入方向の奥側には、後述するネイルチップシート７を載置するシート配置部６５が形成されている。シート配置部６５は、本実施形態におけるネイルプリント装置１で用いられるネイルチップシート７の厚みとほぼ同じ深さの切り欠き部である。シート配置部６５の縦横の寸法は、ネイルチップシート７の縦横の寸法と同じかこれよりも多少大きくなっている。
【００５１】
図１、図７（Ｃ）及び図７（Ｄ）に示すように、親指用の指保持部材６ｂは親指を保持可能な保持部材本体６０を備えており、この保持部材本体６０には、親指用の指保持部材６ｂの指挿入側正面に開口する指保持部としての１つの指挿入孔６１が設けられている。指挿入孔６１の内部上面には、指挿入方向の奥側よりも開口側の方が上下方向の厚みが厚くなるように段差が設けられている。なお、指挿入孔６１の形状や構造は図示例に限定されないが、指は指先から付け根にいくにしたがって厚みが大きくなるため、図示例のように指挿入孔６１の内部上面に段差をつけて開口側の方が上下方向の厚みが厚くなるようにした場合には対象指Ｕ（親指Ｕ１）をスムーズに指挿入孔６１の奥まで挿入することができ、好ましい。なお、４本指用の指保持部材６ｂの指挿入孔６１と同様に、指挿入孔６１の内部上面が指挿入方向のほぼ中央部から開口側に向かって上方向に傾斜するように構成してもよい。
【００５２】
親指用の指保持部材６ｂの表面（対象指Ｕが挿入される際に上側（図７（Ｃ）及び図７（Ｄ）における上側）となる面）側であって指挿入方向の奥側には、指挿入孔６１に対応する位置に、指挿入孔６１に挿入された対象指Ｕ（親指）の爪部を露出させる爪部露出孔６３が形成されている。指保持部材６ｂの奥まで対象指Ｕ（親指）を挿入すると、親指の爪部が指挿入孔６１の爪部露出孔６３から露出して、撮影部３０による爪部の撮影及び印刷部４０による爪部への印刷が可能な状態となる。
また、親指用の指保持部材６ｂの裏面（対象指Ｕが挿入される際に下側（図７（Ｃ）及び図７（Ｄ）における下側）となる面）側であって指挿入方向の奥側には、後述するネイルチップシート７を載置するシート配置部６５が形成されている。シート配置部６５は、前記４本指用の指保持部材６ａに設けられているシート配置部６５と同様のものであるため、その説明を省略する。
【００５３】
図８（Ａ）は、４本指用の指保持部材６ａの表裏を裏返して、４本指用の指保持部材６ａの裏面側に設けられているシート配置部６５にネイルチップシート７を載置する様子を示した図である。図８（Ａ）に示すように、シート配置部６５にネイルチップシート７を載置すると、４本指用の指保持部材６ａのシート配置部６５側の面がほぼ面一となるようになっている。
また、図８（Ｂ）は、本実施形態において用いられるネイルチップシート７の構成を示した断面図である。図８（Ｂ）に示すように、ネイルチップシート７は、フィルム上のシートであり、インクが吐出され印刷が施される被印刷層７１と、接着剤層７２と、剥離層７３とが順に重ね合わされて構成されている。
図８（Ｃ）に示すように、ネイルチップシート７上にインクが吐出されると、被印刷層７１の上にネイル印刷層８が形成される。ネイルチップシート７は、印刷後、ユーザがネイルチップシート７上に印刷された爪部の輪郭を示す線に沿って切断することにより、それぞれ対応する指の爪部Ｔに沿う形状のシール状のネイルチップ７０（図２６等において、親指用のネイルチップ７０ａ、人差し指用のネイルチップ７０ｂ、中指用のネイルチップ７０ｃ、薬指用のネイルチップ７０ｄ、小指用のネイルチップ７０ｅ）となる。ユーザは、例えば図８（Ｃ）に点線で示す部分を切断して各爪部Ｔごとのネイルチップ７０とした後、各ネイルチップ７０の剥離層７３を剥がして接着剤層７２を露出させ、それぞれ対応する爪部Ｔの上に貼り付ける。なお、図８（Ｄ）は、指の爪部Ｔの上にネイルチップ７０が貼り付けられた状態を示したものである。
【００５４】
次に、上記ネイルプリント装置１におけるネイル印刷処理の流れを図９から図１５のフローチャート及び図１６から図３３に基づいて説明する。なお、以下では、友人等である他人ａ（第１の人物）の爪部に施されたネイルデザインを、ユーザ自身（第２の人物）の爪部又はネイルチップシート７上に印刷する場合を例として説明する。
【００５５】
図９は、本実施形態におけるネイル印刷処理の概略を示したものである。
図９に示すように、本実施形態におけるネイル印刷処理は、まず、他人の指先撮影処理（図１０参照）を行い（ステップＳ１）、さらに自分の指先撮影処理（図１１及び図１２参照）を行う（ステップＳ２）。他人の指先撮影処理によって、友人等、ネイルデザインを真似したい他人の爪部の爪画像等を取得し、自分の指先撮影処理によって、ユーザ自身の爪部の爪画像等を取得すると、ユーザ自身の爪部Ｔ又はネイルチップシートに対して他人の爪画像等を印刷する印刷処理（図１３から図１５参照）を行う（ステップＳ３）。
【００５６】
なお、ネイル印刷処理は、通常、他人の指先撮影処理（ステップＳ１、図１０参照）、自分の指先撮影処理（ステップＳ２、図１１及び図１２参照）、印刷処理（ステップＳ３、図１３から図１５参照）の順序で行われることが想定されるが、先に自分の指先撮影処理を行ってから他人の指先撮影処理を行ってもよく、その順序は入れ替わっても構わない。
また、自分の指先撮影処理（ステップＳ２、図１１及び図１２参照）は、印刷を行う度に行う必要はなく、例えばネイルプリント装置１を初めて使用する際等に１度行うようにしてもよい。この場合には、自分の指先撮影処理を行うことによって取得されたユーザ自身の爪部Ｔに関するデータ（図６の「自分の指先」の項を参照）をＲＡＭ５３等の記憶手段に記憶させておき、２回目以降の印刷の際には、当該記憶されているデータを用いるようにする。このように既得のデータを用いる場合には、２回目以降の印刷において、自分の指先撮影処理に要する時間と手間を省くことができる。
また、他人の指先撮影処理（ステップＳ１、図１０参照）についても、印刷を行う度に行う必要はなく、一旦ＲＡＭ５３等の記憶手段にデータとして取り込んだ後は、所望の他人（図６においては、他人ａ〜ｄのうちのいずれか）を選択するだけで、当該他人（第１の人物）のネイルデザイン（例えば他人ａを選択すれば、他人ａの爪画像のネイルデザイン）をユーザ自身の爪部Ｔ又はネイルチップシート７上に印刷できるようにしてもよい。さらに、後述する調整爪画像Ｉａ１〜Ｉａ５のデータや合成爪画像Ｉａ１＋Ｒ１〜Ｉａ５＋Ｒ５のデータを一旦生成した後は、これらを他人（第１の人物）ごとに記憶させておくことにより、後日印刷を行うときには、他人を選択することにより、改めて調整爪画像Ｉａ１〜Ｉａ５や合成爪画像Ｉａ１＋Ｒ１〜Ｉａ５＋Ｒ５の生成処理を行うことなく、簡易迅速に所望のネイルデザインを印刷することができるようにしてよい。
【００５７】
図１０は、他人の指先撮影処理（図９のステップＳ１）を示すフローチャートである。
図１０に示すように、他人の指先撮影処理においては、まず、制御部５１は、モード選択画面（図１６参照）を表示部２６に表示させ（ステップＳ１１）、他人の指先撮影モードキーＰ１が操作されたか否かを判断する（ステップＳ１２）。他人の指先撮影モードキーＰ１が操作されない場合（ステップＳ１２；ＮＯ）には、操作されたキーに応じて、自分の指先撮影処理（図１１及び図１２参照）又は印刷処理（図１３から図１５参照）を行う（ステップＳ１３）。
他人の指先撮影モードキーＰ１が操作された場合（ステップＳ１２；ＹＥＳ）には、指保持部材６の指挿入孔６１に他人ａの対象指Ｕを挿入するよう促す指挿入指示画面（図１７参照）を表示部２６に表示させる（ステップＳ１４）。なお、図１７では、右手の４指を挿入する又は右手の親指を挿入するよう指示が表示されるようになっているが、指挿入指示画面の表示の内容はこれに限定されない。例えば、右手の４指について一連の処理が終了すると次に右手の親指を挿入するよう指示が表示され、右手の全指について処理が終了すると、同様に左手の指について挿入指示がなされるというように、順次指示が表示されるようになっていてもよい。
そして、制御部５１は、指挿入孔６１に他人ａの対象指Ｕが挿入された状態で、指保持部材６を第１の指挿入部２０ａに挿入するように促すとともに、挿入後カメラ３２のスイッチ（カメラキー２５ｂ）を操作するよう指示する保持部材挿入指示画面（図１８参照）を表示部２６に表示させる（ステップＳ１５）。
【００５８】
図１９から図２１に示すように、指保持部材６が第１の指挿入部２０ａに挿入されると、指保持部材６に保持されている他人ａの対象指Ｕの爪部Ｔが爪部露出孔６３から露出し、撮影部３０の下方に位置して撮影可能な状態となる。この状態で指保持部材６に保持されている他人ａの対象指Ｕについて、撮影部３０による指爪画像の撮影が行われる（ステップＳ１６）。
撮影部３０により指爪画像が撮影されると、指種類検出部５１１が、この指爪画像から各指の種類を検出する（ステップＳ１７）。指種類検出部５１１により検出された指の種類は、ＲＡＭ５３（図６参照）に記憶される（ステップＳ１８）。
また、爪輪郭抽出部５１２が、指爪画像に含まれている爪部Ｔの爪画像Ｇａ１〜Ｇａ５から爪部Ｔの輪郭（爪領域）Ｒａ１〜Ｒａ５を抽出する（ステップＳ１９）。爪輪郭抽出部５１２により抽出された爪部Ｔの輪郭Ｒａ１〜Ｒａ５は、「指の種類」及び「爪画像Ｇａ１〜Ｇａ５」と対応付けられて、ＲＡＭ５３（図６参照）に「輪郭Ｒａ１〜Ｒａ５」として記憶される（ステップＳ２０）。
【００５９】
制御部５１は、全ての対象指Ｕについて、指の種類の検出及び爪部Ｔの輪郭Ｒａ１〜Ｒａ５の抽出が完了したかを常に判断し（ステップＳ２１）、完了していない場合（ステップＳ２１；ＮＯ）には、ステップＳ１５からステップＳ２０の処理を繰り返す。他方、全ての対象指Ｕについて、指の種類の検出及び爪部Ｔの輪郭Ｒａ１〜Ｒａ５の抽出が完了したと判断した場合（ステップＳ２１；ＹＥＳ）には、指保持部材６を第１の指挿入部２０ａから抜き取るよう促す保持部材取出指示画面（図２２参照）を表示部２６に表示させる（ステップＳ２２）。これにより他人の指先撮影処理（図９のステップＳ１）が終了する。
【００６０】
図１１及び図１２は、自分の指先撮影処理（図９のステップＳ２）を示すフローチャートである。
図１１に示すように、自分の指先撮影処理においては、まず、制御部５１は、モード選択画面（図１６参照）を表示部２６に表示させ（ステップＳ３１）、自分の指先撮影モードキーＰ２が操作されたか否かを判断する（ステップＳ３２）。自分の指先撮影モードキーＰ２が操作されない場合（ステップＳ３２；ＮＯ）には、操作されたキーに応じて、他人の指先撮影処理（図１０参照）又は印刷処理（図１３から図１５参照）を行う（ステップＳ３３）。
自分の指先撮影モードキーＰ２が操作された場合（ステップＳ３２；ＹＥＳ）には、指保持部材６の指挿入孔６１にユーザ自身の対象指Ｕを挿入するよう促す指挿入指示画面（図１７参照）を表示部２６に表示させる（ステップＳ３４）。なお、指挿入指示画面は他人の指先撮影処理において示したものと同様であることから、説明を省略する。
次に、制御部５１は、指挿入孔６１にユーザ自身の対象指Ｕが挿入された状態で、指保持部材６を第１の指挿入部２０ａに挿入するように促すとともに、挿入後カメラ３２のスイッチ（カメラキー２５ｂ）を操作するよう指示する保持部材挿入指示画面（図１８参照）を表示部２６に表示させる（ステップＳ３５）。
【００６１】
図１９から図２１に示すように、指保持部材６が第１の指挿入部２０ａに挿入されると、指保持部材６に保持されているユーザ自身の対象指Ｕの爪部Ｔが爪部露出孔６３から露出し、撮影部３０の下方に位置して撮影可能な状態となる。この状態で指保持部材６に保持されている他人ａの対象指Ｕについて、撮影部３０による指爪画像の撮影が行われる（ステップＳ３６）。
撮影部３０により指爪画像が撮影されると、指種類検出部５１１が、この指爪画像から各指の種類を検出する（ステップＳ３７）。指種類検出部５１１により検出された指の種類は、ＲＡＭ５３（図６参照）に記憶される（ステップＳ３８）。
また、爪輪郭抽出部５１２が、指爪画像に含まれている爪部Ｔの爪画像Ｇ１〜Ｇ５から爪部Ｔの輪郭（爪領域）Ｒ１〜Ｒ５を抽出する（ステップＳ２９）。爪輪郭抽出部５１２により抽出された爪部Ｔの輪郭Ｒ１〜Ｒ５は、「指の種類」及び「爪画像Ｇ１〜Ｇ５」と対応付けられて、ＲＡＭ５３（図６参照）に「輪郭Ｒ１〜Ｒ５」として記憶される（ステップＳ４０）。
【００６２】
制御部５１は、全ての対象指Ｕについて、指の種類の検出及び爪部Ｔの輪郭Ｒ１〜Ｒ５の抽出が完了したかを常に判断し（ステップＳ４１）、完了していない場合（ステップＳ４１；ＮＯ）には、ステップＳ３５からステップＳ４０の処理を繰り返す。
他方、全ての対象指Ｕについて、指の種類の検出及び爪部Ｔの輪郭Ｒ１〜Ｒ５の抽出が完了したと判断した場合（ステップＳ４１；ＹＥＳ）には、図１２に示すように、制御部５１は、さらに、印刷処理として、ユーザ自身の爪部に直接印刷するモード（すなわち、爪部印刷モード）が選択されているか否かを判断する（ステップＳ４２）。そして、爪部印刷モードが選択されている場合（ステップＳ４２；ＹＥＳ）には、指保持部材６を第１の指挿入部２０ａに挿入された状態をそのまま継続するよう促す保持部材挿入継続指示画面（図２３参照）を表示部２６に表示させる（ステップＳ４３）。この場合には、ユーザが対象指Ｕを指保持部材６に保持させて第１の指挿入部２０ａに挿入した状態が維持され、そのまま爪部Ｔへの印刷処理（図１３のステップＳ５６以降参照）に移行することができる。
印刷処理として、爪部印刷モードが選択されていない場合（ステップＳ４２；ＮＯ、すなわち、ネイルチップシート７に印刷するシート印刷モードが選択されている場合）には、制御部５１は、指保持部材６を第１の指挿入部２０ａから抜き取るよう促す保持部材取出指示画面（図２２参照）を表示部２６に表示させる（ステップＳ４４）。これにより自分の指先撮影処理（図９のステップＳ２）が終了する。
【００６３】
図１３は、ユーザ自身の爪部Ｔに直接印刷するモード（爪部印刷モード）が選択されている場合の印刷処理（図９のステップＳ３）を示すフローチャートである。
図１３に示すように、印刷処理においては、まず、制御部５１は、モード選択画面（図１６参照）を表示部２６に表示させ（ステップＳ５１）、印刷モードキーＰ３が操作されたか否かを判断する（ステップＳ５２）。印刷モードキーＰ３が操作されない場合（ステップＳ５２；ＮＯ）には、操作されたキーに応じて、他人の指先撮影処理（図１０参照）又は自分の指先撮影処理（図１１及び図１２参照）を行う（ステップＳ５３）。
印刷モードキーＰ３が操作された場合（ステップＳ５２；ＹＥＳ）には、さらに、印刷モードとして爪部印刷モードが選択されているか否かを判断し（ステップＳ５４）、爪部印刷モードが選択されていない場合（ステップＳ５４；ＮＯ）には、シート印刷処理（図１４及び図１５参照）を行う（ステップＳ５５）。他方、爪部印刷モードが選択されている場合（ステップＳ５４；ＹＥＳ）には、ＲＡＭ５３に記憶されている他人ａの各対象指Ｕの爪部の爪画像Ｇａ１〜Ｇａ５を対応するユーザ自身の各対象指Ｕの爪部Ｔ１〜Ｔ５に印刷する爪部印刷処理を行う。以下では、爪部印刷処理について、図２４〜図２７を参照しつつ具体的に説明する。
【００６４】
なお、ここでは、他人ａの爪部Ｔを構成している複数の爪部Ｔ１〜Ｔ５が図２４に示すような大きさ・形状であり、これら複数の爪部Ｔ１〜Ｔ５には、異なる形状のネイルデザインＤ１〜Ｄ５（すなわち、親指の爪部Ｔ１には「ハート大」のデザインＤ１、人差し指の爪部Ｔ２には「顔」のデザインＤ２、中指の爪部Ｔ３には「太陽」のデザインＤ３、薬指の爪部Ｔ４には「月」のデザインＤ４、小指の爪部Ｔ５には「ハート小」のデザインＤ５）が施されている場合であって、他方、本人であるユーザ自身の爪部Ｔを構成している複数の爪部Ｔ１〜Ｔ５が図２５に示すような大きさ・形状であり、これら複数の爪部Ｔ１〜Ｔ５には、ネイルデザインがまったく施されていない場合を想定する。
爪部印刷処理においては、例えば、図２６（Ａ）〜（Ｄ）のような手順で他人ａの爪画像Ｇａ１〜Ｇａ５をユーザ自身の爪部の輪郭Ｇ１〜Ｇ５に合わせ込む処理を行う。なお、図２６（Ａ）〜（Ｄ）では、人差し指についての処理を例示しているが、他の指についても同様である。
爪部印刷処理においては、まず、他人ａ（第１の人物）の対象指Ｕの爪部Ｔの輪郭Ｒａ１〜Ｒａ５とユーザ自身（第２の人物）の対象指Ｕの爪部Ｔの輪郭Ｒ１〜Ｒ５とを比較する（ステップＳ５６、図２６（Ａ）参照）。そして、調整爪画像生成部５１３は、他人ａの爪部Ｔの輪郭Ｒａ１〜Ｒａ５のサイズがユーザ自身の爪部Ｔの輪郭Ｒ１〜Ｒ５のサイズよりも大きいか否かを判断し（ステップＳ５７）、大きい場合（ステップＳ５７；ＹＥＳ）には、他人ａの爪部Ｔの輪郭Ｒａ１〜Ｒａ５がユーザ自身の爪部Ｔの輪郭Ｒ１〜Ｒ５内に収まるように他人ａの爪画像Ｇａ１〜Ｇａ５全体のサイズを縮小する（ステップＳ５８、図２６（Ｂ）参照）。調整爪画像生成部５１３は、他人ａの各爪部Ｔの輪郭Ｒａ１〜Ｒａ５とネイルデザインＤ１〜Ｄ５とがユーザ自身の各爪部Ｔの輪郭Ｒ１〜Ｒ５の範囲内に収まるまで、ステップＳ５７の判断及びステップＳ５８の縮小処理を繰り返す。
【００６５】
他方、他人ａの爪部Ｔの輪郭Ｒａ１〜Ｒａ５のサイズがユーザ自身の爪部Ｔの輪郭Ｒ１〜Ｒ５のサイズと同じ又は小さいと判断した場合（ステップＳ５７；ＮＯ）には、調整爪画像生成部５１３は、さらに他人ａの爪部Ｔの輪郭Ｒａ１〜Ｒａ５の位置がユーザ自身の爪部Ｔの輪郭Ｒ１〜Ｒ５の範囲内にあるか否かを判断し（ステップＳ５９）、他人ａの爪部Ｔの輪郭Ｒａ１〜Ｒａ５の位置がユーザ自身の爪部Ｔの輪郭Ｒ１〜Ｒ５の範囲内にないと判断した場合（ステップＳ５９；ＮＯ、図２６（Ｂ）参照）には、調整爪画像生成部５１３は、他人ａの爪部Ｔの輪郭Ｒａ１〜Ｒａ５の印刷位置の座標を移動させ（ステップＳ６０、図２６（Ｃ）参照）、他人ａの爪部Ｔの輪郭Ｒａ１〜Ｒａ５の位置がユーザ自身の爪部Ｔの輪郭Ｒ１〜Ｒ５の範囲内に収まるまで、ステップＳ５９の判断及びステップＳ６０の移動処理を繰り返す。
他人ａの爪部Ｔの輪郭Ｒａ１〜Ｒａ５の位置がユーザ自身の爪部Ｔの輪郭Ｒ１〜Ｒ５の範囲内にあると判断した場合（ステップＳ５９；ＹＥＳ、（図２６（Ｄ）参照））には、調整爪画像生成部５１３は、調整後のネイルデザインＤ１〜Ｄ５を含む調整爪画像Ｉａ１〜Ｉａ５をＲＡＭ５３に記憶させる（ステップＳ６１）。
調整爪画像Ｉａ１〜Ｉａ５が生成されると、印刷制御部５１５は、印刷部４０制御して、図２６（Ｄ）に示すように、他人のネイルデザインＤ１〜Ｄ５を含む調整爪画像Ｉａ１〜Ｉａ５をユーザ自身の対応する指の爪部Ｔ上にそれぞれ印刷させる（ステップＳ６２）。
【００６６】
制御部５１は、全ての対象指Ｕの爪部Ｔについて印刷が完了したかを常に判断し（ステップＳ６３）、完了していない場合（ステップＳ６３；ＮＯ）には、ステップＳ５６からステップＳ６２の処理を繰り返す。他方、全ての対象指Ｕについて印刷が完了したと判断した場合（ステップＳ６３；ＹＥＳ）には、爪部Ｔへの印刷処理を終了する。
この実施の形態によれば、図２７に示すように、他人のネイルデザインＤ１〜Ｄ５を含む調整爪画像Ｉａ１〜Ｉａ５を、本人の爪部Ｔを構成している複数の爪部Ｔ１〜Ｔ５上にそれぞれ印刷を施すことができる。この結果、他人（有名人や友人など）の爪部Ｔに施されているネイルデザインを、簡易な手法で、そのまま本人（ユーザ自身）の爪部Ｔに迅速かつ容易に印刷することができる。
【００６７】
図１４及び図１５は、ネイルチップシート７に印刷するモード（シート印刷モード）が選択されている印刷処理（図９のステップＳ３）を示すフローチャートである。この印刷処理は、ＲＡＭ５３に記憶されている他人ａの各対象指Ｕの爪部Ｔの爪画像Ｇａ１〜Ｇａ５を対応するユーザ自身の各対象指Ｕの爪部Ｔの輪郭Ｒ１〜Ｒ５に合わせて、ネイルチップシート上に印刷する処理である。なお、ステップＳ７１からステップＳ７７までの処理は、図１３のステップＳ５１からステップＳ５７までの処理と同様であるため、その説明を省略する。
【００６８】
調整爪画像生成部５１３が、Ｔの輪郭Ｒａ１〜Ｒａ５のサイズがユーザ自身の爪部Ｔの輪郭Ｒ１〜Ｒ５のサイズよりも大きいか否かを判断（ステップＳ７７）した結果、Ｔの輪郭Ｒａ１〜Ｒａ５のサイズがユーザ自身の爪部Ｔの輪郭Ｒ１〜Ｒ５のサイズと同じ又は小さいと判断した場合（ステップＳ７７；ＮＯ）には、調整爪画像生成部５１３は、調整後の調整爪画像Ｉａ１〜Ｉａ５をＲＡＭ５３に記憶させる（ステップＳ７９）。
調整爪画像Ｉａ１〜Ｉａ５が生成されると、合成爪画像生成部５１４は、この調整爪画像Ｉａ１〜Ｉａ５と対応するユーザ自身の対象指Ｕの爪部Ｔの輪郭Ｒ１〜Ｒ５とを合成して合成爪画像Ｉａ１＋Ｒ１〜Ｉａ５＋Ｒ１を生成する（ステップＳ８０）。そして、合成爪画像生成部５１４は、生成した合成爪画像Ｉａ１＋Ｒ１〜Ｉａ５＋Ｒ１をＲＡＭ５３に記憶させる（ステップＳ８１）。
【００６９】
ネイルチップシート７に印刷を行う場合には、図１５に示すように、制御部５１は、指保持部材６を裏返して、シート配置部６５にネイルチップシート７を載置するよう促すシート載置指示画面（図２８参照）を表示部２６に表示させる（ステップＳ８３）。さらに、ネイルチップシート７が載置された状態で指保持部材６を第１の指挿入部２０ａに挿入するよう促す保持部材再挿入指示画面（図２９参照）を表示部２６に表示させる（ステップＳ８４）。
保持部材再挿入指示画面（図２９参照）が表示されると、ユーザは、図３０に示すように、指保持部材６を裏返して、シート配置部６５にネイルチップシート７を載置する。その上で、ネイルチップシート７が載置されたシート配置部６５が上になるようにして、指保持部材６を第１の指挿入部２０ａに再度挿入する。図３１は、ネイルチップシート７がシート配置部６５に載置された状態で指保持部材６が第１の指挿入部２０ａに挿入された状態を示したものである。図３１に示すように、ネイルチップシート７をシート配置部６５に載置して指保持部材６を第１の指挿入部２０ａに挿入すると、ネイルチップシート７が印刷部４０の下方に位置し、印刷可能な状態となる。
そして、ネイルチップシート７上に全指別に合成爪画像（Ｉａ１＋Ｒ１〜Ｉａ５＋Ｒ５）を印刷する（ステップＳ８５、図３２参照）。これにより、ネイルチップシート７への印刷処理が終了する。
ユーザは、印刷処理の終了後、ネイルチップシート７に印刷された爪部Ｔの輪郭線Ｒ１〜Ｒ５に沿って、鋏やカッターナイフ等により各ネイルチップ７０を切り離す。これにより、図３３に示すような各指ごとのネイルチップ７０ａ〜７０ｅを作成することができ、各ネイルチップ７０の剥離層７３を剥がしてそれぞれ対応する対象指Ｕの爪部Ｔの上に貼り付けることができる。
【００７０】
以上、本実施形態によれば、友人や家族等の他人（第１の人物）の複数の爪部Ｔの爪画像Ｇａ１〜Ｇａ５を含む指爪画像、及びユーザ自身（第２の人物）の複数の爪部Ｔの爪画像Ｇ１〜Ｇ５を含む指爪画像を撮影部３０により取得し、得られた各指の指爪画像から、それぞれ各指の種類を検出して、検出された指の種類と爪部Ｔの爪画像Ｇａ１〜Ｇａ５、Ｇ１〜Ｇ５とを対応付けて、人別にそれぞれＲＡＭ５３に記憶させる。そして、ＲＡＭ５３に記憶された他人（第１の人物）の爪画像Ｇａ１〜Ｇａ５をユーザ自身（第２の人物）の対応する対象指Ｕの爪画像Ｇ１〜Ｇ５に合わせて調整して調整爪画像Ｉａ１〜Ｉａ５を生成し、この調整爪画像Ｉａ１〜Ｉａ５を、ユーザ自身（第２の人物）の対応する対象指Ｕ１〜Ｕ５の爪部Ｔ１〜Ｔ５上に印刷する。
これにより、真似をしたい他人のネイルデザインを、簡易に自分の爪部Ｔの形状に合わせてユーザ自身の爪部Ｔに印刷することができ、優れたネイルアートを煩雑な設定・操作等を行うことなく、手軽に楽しむことが可能となる。
また、上記調整爪画像Ｉａ１〜Ｉａ５とユーザ自身（第２の人物）の爪部Ｔ１〜Ｔ５の輪郭Ｒ１〜Ｒ５とを合成して合成爪画像Ｉａ１＋Ｒ１〜Ｉａ５＋Ｒ１を生成し、この合成爪画像Ｉａ１＋Ｒ１〜Ｉａ５＋Ｒ１をネイルチップシート７上に印刷することができる。
このため、自分の爪部Ｔの形状に合ったネイルチップ７０に真似をしたい他人のネイルデザインを簡易に印刷することができ、手指に直接インクが付着するおそれなく、手軽に優れたネイルアートを楽しむことが可能となる。
また、他人（第１の人物）の爪部Ｔの爪画像Ｇａ１〜Ｇａ５及びユーザ自身（第２の人物）の爪部の爪画像Ｇ１〜Ｇ５からそれぞれ爪部Ｔの輪郭を抽出して、抽出された他人（第１の人物）の爪部Ｔの輪郭Ｒａ１〜Ｒａ５のサイズがユーザ自身（第２の人物）の爪部Ｔの輪郭Ｒ１〜Ｒ５のサイズよりも大きい場合は、他人（第１の人物）の爪部の輪郭Ｒａ１〜Ｒａ５がユーザ自身（第２の人物）の爪部Ｔの輪郭Ｒ１〜Ｒ５内に収まるように他人（第１の人物）の爪画像全体のサイズを縮小して調整爪画像Ｉａ１〜Ｉａ５を生成するため、他人（第１の人物）の爪部Ｔがユーザ自身（第２の人物）よりも大きい場合でも、サイズを合わせ込んで、ネイルデザインが爪部Ｔからはみ出すことがなく、適切な大きさのネイルデザインを自分の爪部Ｔに印刷することができる。
【００７１】
［第２の実施の形態］
次に、図３４を参照しつつ、本発明に係るネイルプリント装置の第２の実施形態について説明する。なお、本実施形態は、他人（第１の人物）の爪部の爪画像を含む指爪画像を得る第１の画像取得手段の構成のみが第１の実施形態と異なるものであるため、以下においては、特に第１の実施形態と異なる点について説明する。
【００７２】
図３４は、本実施形態におけるネイルプリント装置の外観を示す斜視図である。
本実施形態において、ネイルプリント装置のケース本体２の上部には、外部からメモリカード等の記憶媒体９を挿入することのできる媒体挿入口２７が設けられている。また、ケース本体２の内部に収容されているプリント装置本体１０には、この媒体挿入口２７に対応する位置に、媒体挿入口２７から挿入された記憶媒体９の端子部９１と接続可能な接続部（図示せず）が設けられている。この接続部は制御装置５０と接続されており、記憶媒体９が媒体挿入口２７から挿入され、その端子部９１がプリント装置本体１０の接続部と接続されると、記憶媒体９に記憶されているデータが、この接続部を介して、制御装置５０の制御部５１に送られるようになっている。
本実施形態では、図３４に示すように、他人（第１の人物）の爪部Ｔの爪画像を含む指爪画像をデジタルカメラ１００によって撮影し、撮影された指爪画像が記憶された記憶媒体９をネイルプリント装置の媒体挿入口２７に挿入されるようになっている。制御部５１は、この記憶媒体９に記憶されているデータを取得することにより、他人（第１の人物）の爪部Ｔの爪画像を含む指爪画像を得る第１の画像取得手段として機能する。
【００７３】
制御部５１により取得された他人（第１の人物）の爪部Ｔの爪画像を含む指爪画像は、ＲＡＭ５３等のネイルプリント装置内部の記憶手段に記憶され、第１の実施形態と同様に、当該指爪画像に基づいて、指種類検出部５１１により、各指の種類が検出される。また、爪輪郭抽出部５１２により、その爪部Ｔの爪画像から爪部Ｔの輪郭が抽出される。
制御部５１により取得された他人（第１の人物）の爪部Ｔの爪画像、指種類検出部５１１により検出された指の種類及び爪輪郭抽出部５１２により抽出された爪部Ｔの輪郭は、ＲＡＭの「他人の指先」の項（図６参照）に、それぞれ対応付けられて各指別に記憶される。
【００７４】
ユーザが当該記憶媒体９から取得された他人の爪部Ｔの爪画像を自分の爪部Ｔやネイルチップシート上に印刷しようとするときは、第１の実施形態と同様に、調整爪画像生成部５１３によって、ＲＡＭ５３等の記憶手段に記憶された当該他人（第１の人物）の爪画像がユーザ自身（第２の人物）の対応する対象指Ｕの爪画像に合わせて調整され、調整爪画像（図６参照）が生成される。また、ネイルチップシート上に印刷する場合には、さらに合成爪画像生成部５１４により、この他人（第１の人物）の調整爪画像とユーザ自身（第２の人物）の爪部Ｔの輪郭とが合成されて合成爪画像が生成される。
【００７５】
なお、その他の構成は、第１の実施形態で説明したものと同様であるため、同一部材には同一の符号を付してその説明を省略する。
【００７６】
次に、本実施形態における印刷制御方法について説明する。
【００７７】
ユーザは、真似をしたい他人（第１の人物）のネイルデザインＤ１〜Ｄ５が爪部Ｔを構成している複数の爪部Ｔ１〜Ｔ５上に施されている場合、当該他人の手指をデジタルカメラ１００で撮影して、当該他人（第１の人物）の爪部Ｔの爪画像を含む指爪画像を取得する。撮影された他人の指爪画像は、デジタルカメラ１００の記憶媒体９に記憶される。
ユーザは、デジタルカメラ１００から記憶媒体９を取り出して、記憶媒体９をネイルプリント装置の媒体挿入口２７に挿入する。これにより、記憶媒体９の端子部９１が接続部と接続され、記憶媒体９内に記憶されている画像データが制御部５１に送られ、取得される。
【００７８】
制御部５１に取得された他人の指爪画像については、指種類検出部５１１により各指の種類が検出され、また、爪輪郭抽出部５１２によりその爪部Ｔの爪画像から爪部Ｔの輪郭が抽出されて、それぞれ爪部Ｔの爪画像と対応付けられてＲＡＭ等の記憶手段の「他人の指先」の項に記憶される。
【００７９】
ユーザは、自分の指先撮影処理（図１１及び図１２参照）によりユーザ自身の爪部Ｔの爪画像を含む指爪画像を撮影部３０により取得する。
取得されたユーザ自身の指爪画像については、指種類検出部５１１により各指の種類が検出され、また、爪輪郭抽出部５１２によりその爪部Ｔの爪画像から爪部Ｔの輪郭が抽出されて、それぞれ爪部Ｔの爪画像と対応付けられてＲＡＭ等の記憶手段の「自分の指先」の項に記憶される。
【００８０】
ユーザが自分の爪部に当該他人のネイルデザインの印刷処理を行う場合には、調整爪画像生成部５１３が、記憶手段の「他人の指先」の項に記憶されている他人（第１の人物）の爪画像を、ユーザ自身（第２の人物）の対応する対象指Ｕの爪画像に合わせて調整し、調整爪画像（図６参照）を生成する。そして、この調整爪画像をユーザの爪部に印刷する。
また、ユーザがネイルチップシート上に当該他人のネイルデザインの印刷処理を行う場合には、調整爪画像生成部５１３が調整爪画像（図６参照）を生成した後、さらに、合成爪画像生成部５１４がこの調整爪画像をユーザの爪部の輪郭と合成し、合成爪画像を生成する。そして、この合成爪画像をユーザの爪部に印刷する。
なお、その他の具体的な処理内容は第１の実施形態と同様であることから、その説明を省略する。
【００８１】
以上、本実施形態によれば、デジタルカメラ１００で撮影した他人（第１の人物）の爪部Ｔの爪画像を含む指爪画像を用いて、当該他人の爪部に施されているネイルデザインＤ１〜Ｄ５と同様のデザインを図２７に示すように、ユーザ自身（第２の人物）の爪部上に印刷することができる。
これにより、ネイルデザインを真似したい他人が、有名人である場合や雑誌で紹介された人である場合のように、ネイルプリント装置によって指爪画像を撮影することができない場合でも、その指爪画像をデジタルカメラで撮影するだけで、当該他人のネイルデザインを簡易に自分の爪部Ｔの形状に合わせてユーザ自身の爪部Ｔに印刷することができ、優れたネイルアートを煩雑な設定・操作等を行うことなく、手軽に楽しむことが可能となる。
また、上記調整爪画像をユーザ自身（第２の人物）の爪部Ｔの輪郭と合成して合成爪画像を生成し、この合成爪画像をネイルチップシート７上に印刷することができる。
このため、自分の爪部Ｔの形状に合ったネイルチップ７０に真似をしたい他人のネイルデザインを簡易に印刷することができ、手指に直接インクが付着するおそれなく、手軽に優れたネイルアートを楽しむことが可能となる。
また、他人（第１の人物）の爪部の爪画像及びユーザ自身（第２の人物）の爪部の爪画像からそれぞれ爪部の輪郭を抽出して、抽出された他人（第１の人物）の爪部の輪郭のサイズがユーザ自身（第２の人物）の爪部の輪郭のサイズよりも大きい場合は、他人（第１の人物）の爪部の輪郭がユーザ自身（第２の人物）の爪部の輪郭内に収まるように他人（第１の人物）の爪画像全体のサイズを縮小して調整爪画像を生成するため、他人（第１の人物）の爪部がユーザ自身（第２の人物）よりも大きい場合でも、サイズを合わせ込んで、ネイルデザインが爪部Ｔからはみ出すことがなく、適切な大きさのネイルデザインを自分の爪部Ｔに印刷することができる。
【００８２】
なお、以上本発明の実施形態について説明したが、本発明は、かかる実施形態に限定されず、その要旨を逸脱しない範囲で、種々変形が可能であることは言うまでもない。
【００８３】
例えば、上記実施形態では、複数の指を対象指Ｕとし、複数の指を一度にネイルプリント装置１内に挿入して、撮影及び印刷を行う場合を例としたが、対象指Ｕについて１本ずつ撮影、印刷するものであってもよい。
ネイルプリント装置を対象指Ｕについて１本ずつ撮影、印刷するものとした場合には、装置を小型化、軽量化することができる。
【００８４】
また、本実施形態では、対象指Ｕを指保持部材６に挿入した状態で第１の指挿入部２０ａに挿入する場合について説明したが、指保持部材６は本発明の必須の構成要素ではなく、対象指Ｕを直接第１の指挿入部２０ａに挿入して、撮影、印刷を行うようにしてもよい。
【００８５】
また、本実施形態では、ネイルプリンタ装置１において、ユーザの爪部Ｔに直接印刷を行う爪印刷処理と、ネイルチップシート７上に印刷を行うシート印刷処理の両方を印刷モードとして選択可能である場合について説明したが、ネイルプリンタ装置１は、ユーザの爪部Ｔに直接印刷を行う爪印刷処理のみを行う専用機、又は、ネイルチップシート７上に印刷を行うシート印刷処理のみを行う専用機であってもよい。
なお、ネイルプリンタ装置１を爪印刷処理のみを行う専用機とする場合には、指保持部材６の裏面側にシート配置部６５を設ける必要はない。
【００８６】
また、本実施形態では、４本指用の指保持部材６ａ、親指用の指保持部材６ｂの両方にシート配置部６５を設ける構成としたが、シート配置部６５は４本指用の指保持部材６ａ、親指用の指保持部材６ｂのいずれか一方に設けるものとしてもよい。
また、例えば、４本指用の指保持部材６ａと親指用の指保持部材６ｂとでシート配置部６５の深さを変えることにより、薄いネイルチップシート７を用いる場合、シートの上にラインストーン等が配置されて厚みのあるネイルチップシート７を用いる場合等、各種の厚みのネイルチップシート７に対応できるようにしてもよい。
【００８７】
また、第２の実施形態において、他人の指爪画像を取得する手段としてデジタルカメラ１００を例示したが、他人の指爪画像を取得する手段は他人の指爪画像を記憶媒体９に保存可能なものであればよく、デジタルカメラ１００に限定されない。例えば携帯電話等であってもよい。
【００８８】
また、本実施形態によれば、撮影した他人（第１の人物）の爪部の爪画像を含む指爪画像を用いて、当該他人の爪部に施されているネイルデザインと同様のデザインを、本人であるユーザ自身（第２の人物）の爪部上に印刷するようにしているが、撮影した本人の過去の爪部の爪画像を含む指爪画像を用いて、当該過去の本人の爪部に施されているネイルデザインと同様のデザインを現在の本人（第２の人物）の爪部上に印刷するようにしてもよい。
【００８９】
さらに、本実施形態では、デジタルカメラ１００などを用いて他人または過去の本人の指爪画像等を取得してから、この他人または過去の本人の爪部に施されているネイルデザインを、現在の本人の爪部又はネイルチップシート上に印刷するようにしているが、他人または過去の本人の指爪画像を取得しないで、予め用意されているまたは記憶されている他人または過去の本人の指爪画像を用いて、他人または過去の本人の爪部（ネイルチップを含む）に施されているネイルデザインを、現在の本人の爪部又はネイルチップシート上に印刷するようにしてもよい。
【００９０】
この場合には、例えば、まず、予め用意されているまたは記憶されている他人（ネイルチップを含む）または過去の本人の指爪画像の中から、ユーザが自分の爪部に印刷するネイルデザインを選択する（被印刷対象となる第１の爪画像（図６等の爪画像Ｇａ１〜Ｇａ５参照）を選択する処理）。
具体的には、図３５に示すように、画像記憶手段であるＲＡＭ５３（図６参照）に記憶されているネイルデザインが施された他人の複数の爪部（ネイルチップを含む）または過去の本人の爪部の爪画像Ｇａ１〜Ｇａ４を含む指爪画像を表示部２６に一覧表示させる（ステップＳ９０、図３８参照）。なお、表示部２６に表示しきれない数の画像が記憶されている場合には、操作部２５内の左右カーソルキーＫ１、Ｋ２の操作により、左右に画面をスクロールさせる等により順次表示画面上に表示させるようになっていてもよい。
ユーザは、表示部２６に表示された複数の爪画像Ｇａ１〜Ｇａ４を含む指爪画像の中から、自分の爪部に印刷したい所望のネイルデザインＤ１〜Ｄ４を含む爪画像Ｇａ１〜Ｇａ４の一つを操作部２５等により選択する。爪画像Ｇａ１〜Ｇａ４の一つを選択すると、当該選択された爪画像Ｇａ１〜Ｇａ４が被印刷対象となる第１の爪画像（たとえば、爪画像Ｇａ１）として選択される（ステップＳ９１）。第１の爪画像Ｇａ１が選択されると、制御部５１の爪輪郭抽出部５１２は、当該第１の爪画像Ｇａ１の輪郭を抽出し（ステップＳ９２）、抽出した第１の爪画像Ｇａ１の輪郭をＲＡＭ５３に記憶させる（ステップＳ９３）。
次に、印刷しようとする第２の爪部（すなわち、ユーザ自身の爪部）の爪画像（図６等の爪画像Ｇ１〜Ｇ５参照）を取得する処理を行う。
具体的には、図３６に示すように、撮影部３０によりユーザの指Ｕの爪部Ｔを撮影し（ステップＳ９３、図３９（Ａ）参照）、撮影された爪部から爪画像Ｇ１及びそれの輪郭Ｒ１を抽出する（ステップＳ９４、図３９（Ｂ）参照）。抽出された爪画像Ｇ１及び輪郭Ｒ１は、第２の爪部の爪画像及び輪郭としてＲＡＭ５３（図６参照）に記憶される（ステップＳ９６）。
そして、被印刷対象である第１の爪画像を第２の爪部（すなわち、ユーザ自身の爪部）の上に印刷する爪部印刷処理を行う。
具体的には、図３７に示すように、第１の爪画像（被印刷対象）と第２の爪画像（ユーザの爪部の画像）とをＲＡＭ５３から読み出して重ね合わせる（ステップＳ９７、図３９（Ｃ）参照）。なお、選択された指爪画像が、図３８の右端に示す例のように、親指から小指までの５指の画像である場合には、各指ごとに、第１の爪画像（被印刷対象）をそれぞれ対応する指のユーザの爪部の画像（第２の爪画像）と重ね合わせる。
次に、第１の爪画像の爪部の輪郭が第２の爪画像の爪部の輪郭の範囲内に収まるように第１の爪画像のサイズを調整する（ステップＳ９８、図３９（Ｃ）（Ｄ）参照）。そして、印刷制御手段である印刷制御部５１５が印刷部４０を制御することにより、サイズ調整後の第１の爪画像Ｇａ１（ネイルデザインを含む）またはネイルデザインＤ１のみをユーザ自身の指Ｕの爪部（第２の爪画像に対応する爪部）Ｔ上に印刷する（ステップＳ９９、図３９（Ｅ）参照）。
なお、第１の爪画像Ｇａ１〜Ｇａ４（ネイルデザインを含む）またはネイルデザインＤ１〜Ｄ４のみをユーザ自身の爪部（第２の爪画像に対応する爪部）Ｔ上に印刷する代わりに、ネイルチップシート（図３２参照）上に印刷する場合には、第１の爪画像のサイズを調整した後に、当該第１の爪画像をユーザの爪部の輪郭と合成した上で合成爪画像をネイルチップシート上に印刷する。印刷された合成爪画像をネイルチップシートから切り取って、ネイルデザインが印刷されたネイルチップを作製することができる。
このような構成とすることにより、予め複数の指爪画像または爪画像を用意しておけば、これらの画像の中から所望のネイルデザインを含む爪画像の一つを自由に選んでユーザ自身の爪部にまたはネイルチップシート上に印刷することができる（ネイルチップシートの場合はネイルチップを作成することができる）ので、手軽にネイルアートを楽しむことができる。
【００９１】
また、第２の実施形態では、記憶媒体９としてメモリカードを図示したが（図３４参照）、記憶媒体９は、ネイルプリント装置に画像データを送信することのできるものであればよく、各種メモリカードに限定されない。例えば記憶媒体９はＵＳＢメモリでもよい。また、デジタルカメラ等の外部装置とネイルプリント装置とをＵＳＢケーブル等で直接接続して画像データをネイルプリント装置側に送信する構成としてもよい。
【００９２】
また、本実施形態では、ネイルチップシート７に印刷した後、ユーザが自ら個々のネイルチップ７０ａ〜７０ｅを切り離す場合を例として示したが、例えば図４０に示すように、印刷ヘッド４６の近傍等にカッター５等の切断手段を設けて、印刷ヘッド４６による印刷動作終了後、このカッター５によりネイルチップシート７上に印刷されている爪部の輪郭線Ｒ１〜Ｒ５に沿って各ネイルチップ７０を自動的に切り離すように構成してもよい。この場合、制御部５１がカッター５等の切断手段を制御する切断制御手段として機能する。なお、切断手段を設ける位置は図示例に限定されない。
また、カッター５によりネイルチップシート７の全ての層を切り離すのではなく、剥離層７３のみを残して切断するようにしてもよい。この場合には、切断後、ユーザはカッター５により切断された層（被印刷層７１、接着剤層７２）を剥離層７３から剥がし取ることにより、接着剤層７２が露出した状態でネイルチップ７０をネイルチップシート７から取り外すことができる。
このように、ネイルチップ７０を自動的に切り離すように構成した場合には、ユーザの手を煩わせることなく、より簡易迅速にネイルチップ７０を作成することができる。
また、本実施形態では、第１の爪画像の爪部の輪郭が第２の爪画像の爪部の輪郭の範囲内に収まるか否かを判断し、第１の爪画像のサイズを調整するようにしている（図１３、図３７の爪部印刷処理におけるステップＳ５７〜５９、Ｓ９８参照）が、このような判断とサイズ調整処理を行わずに、撮影されたまたは用意されている第１の爪画像（ネイルデザインを含む）またはネイルデザインのみをユーザ自身の指Ｕの爪部（第２の爪画像に対応する爪部）Ｔ上に印刷するようにしてもよい。
【符号の説明】
【００９３】
１    ネイルプリント装置
２    ケース本体
４    蓋体
５    カッター
６    指保持部材
６ａ  ４本指用の指保持部材
６ｂ  親指用の指保持部材
７    ネイルチップシート
１０  プリント装置本体
２０ａ    印刷指挿入部
２０ｂ    非印刷指挿入部
２０ｃ    掴み部（隔壁）
２０    印刷指固定部
３０    撮影部
３２    カメラ
３３    照明灯（ＬＥＤ）
４０    印刷部
５０    制御装置
５１    制御部
５２    ＲＯＭ
５３    ＲＡＭ
６０    保持部材本体
６１    指挿入孔
６２    指仕切部
６３    爪部露出孔
６５    シート配置部
７０    ネイルチップ
５１１  指種類検出部
５１２  爪輪郭抽出部
５１３  調整爪画像生成部
５１４  合成爪画像生成部
５１５  印刷制御部
５１６  表示制御部
Ｒ１〜Ｒ５      輪郭線
Ｔ（Ｔ１〜Ｔ５）      爪
Ｕ１（Ｕ１〜Ｕ５）    対象指
Ｎ    非対象指
【図１】
0005267550.tif 000002
【図２】
0005267550.tif 000003
【図３】
0005267550.tif 000004
【図４】
0005267550.tif 000005
【図５】
0005267550.tif 000006
【図６】
0005267550.tif 000007
【図７】
0005267550.tif 000008
【図８】
0005267550.tif 000009
【図９】
0005267550.tif 000010
【図１０】
0005267550.tif 000011
【図１１】
0005267550.tif 000012
【図１２】
0005267550.tif 000013
【図１３】
0005267550.tif 000014
【図１４】
0005267550.tif 000015
【図１５】
0005267550.tif 000016
【図１６】
0005267550.tif 000017
【図１７】
0005267550.tif 000018
【図１８】
0005267550.tif 000019
【図１９】
0005267550.tif 000020
【図２０】
0005267550.tif 000021
【図２１】
0005267550.tif 000022
【図２２】
0005267550.tif 000023
【図２３】
0005267550.tif 000024
【図２４】
0005267550.tif 000025
【図２５】
0005267550.tif 000026
【図２６】
0005267550.tif 000027
【図２７】
0005267550.tif 000028
【図２８】
0005267550.tif 000029
【図２９】
0005267550.tif 000030
【図３０】
0005267550.tif 000031
【図３１】
0005267550.tif 000032
【図３２】
0005267550.tif 000033
【図３３】
0005267550.tif 000034
【図３４】
0005267550.tif 000035
【図３５】
0005267550.tif 000036
【図３６】
0005267550.tif 000037
【図３７】
0005267550.tif 000038
【図３８】
0005267550.tif 000039
【図３９】
0005267550.tif 000040
【図４０】
0005267550.tif 000041